(57)【要約】【課題】ユーザーが自分の居る傍に常時リモコンを置いて空気調和機の運転を操作することを想定し、リモコン付近の室温をユーザーが求める温度にする。【解決手段】リモコンに温度センサ１と、温度センサ１で検出した温度を表示するための室温表示部２と、ユーザーが設定する温度設定部３と、設定温度を表示する設定温度表示部４と、空気調和機が制御目標にするための温度を設定する制御目標温度設定部５と、空気調和機が制御目標にする制御目標温度を変更するためのパワーアップ／ダウンＳＷ６と、制御目標温度を空気調和機本体に送信する送信部７を設け、リモコンのパワーアップ／ダウンＳＷ６を操作して制御目標温度をアップ／ダウンさせ、リモコン付近の室温をユーザーの求める温度にする。【選択図】図１
2007247983.tif 000002
【特許請求の範囲】
【請求項１】
空気調和機の運転状態を遠隔操作するたのリモコンに、室温を検知するための温度センサを設け、ユーザーが設定する設定温度を前記リモコンに表示するのに加え、前記温度センサで検知した温度を室温として前記リモコンに表示させ、前記リモコンにパワーアップ／ダウンスイッチを設け、エアコンが認識して制御する目標温度をアップ／ダウンさせて前記リモコン付近の室温がユーザーの求める温度に到達するように空気調和機の運転を操作可能としたことを特徴とする空気調和機のリモコン。
【請求項２】
前記リモコンに室温表示有り／無しスイッチを設け、無しの場合にはリモコンの室温表示を非表示にし、前記パワーアップ／ダウンスイッチの操作を無効にする請求項１記載の空気調和機のリモコン。
【発明の詳細な説明】
【技術分野】
【０００１】
本発明は、リモコンにより温度設定を行う空気調和機に関するものである。
【背景技術】
【０００２】
一般的に空気調和機は、空気調和機の室内機本体に設けたセンサの検知温度がリモコンから受信した設定温度に到達するように制御している。ただ空気調和機が設置される場所とユーザーの居る場所は離れているため、ユーザーの居る場所付近がリモコン設定温度になっていない可能性が高い。そこでユーザーが自分の居る傍に常時リモコンを置いて空気調和機の運転を操作することを想定し、リモコンに温度センサを設け、温度センサの検出温度をユーザーが設定する設定温度に加味して新たな設定温度を決定して空気調和機に送信する方法が考案されている（例えば、特許文献1参照）。
【０００３】
図４は特許文献１に開示されたユーザーが設定する設定温度にリモコンに設けた温度センサで検出した温度を加味して決定した設定温度を空気調和機に送信する処理を示すフローチャートである。
【０００４】
図４に示すように、ユーザーが設定する設定温度にリモコンに設けた温度センサの検出温度を加味して新たな設定温度を決定し、決定した新たな設定温度をリモコンから空気調和機に送信するようになっている。
【特許文献１】特開昭６３−１８３３３３号公報
【発明の開示】
【発明が解決しようとする課題】
【０００５】
しかしながら、上記従来の技術ではリモコン付近の温度が本当にユーザーの求める温度になっているかどうか目で見て分からない。
【０００６】
本発明は上記課題を解決するもので、リモコンに設けた温度センサの検知温度を室温としてリモコンに表示させ、ユーザーが設定する設定温度表示と差がある場合、リモコンのパワーアップ／ダウンスイッチ（以下、スイッチをＳＷと表記）を操作して、空気調和機が認識して制御する制御目標温度をアップ／ダウンさせることにより、リモコン付近の室温をユーザーの求める温度に到達させて室温表示が設定温度表示と同じになるようにすることを目的とする。
【課題を解決するための手段】
【０００７】
前記従来の課題を解決するために、本発明の空気調和機のリモコンは、空気調和機の運転状態を遠隔操作するたのリモコンに、室温を検知するための温度センサを設け、ユーザーが設定する設定温度を前記リモコンに表示するのに加え、前記温度センサで検知した温度を室温として前記リモコンに表示させ、前記リモコンにパワーアップ／ダウンＳＷを設け、エアコンが認識して制御する目標温度をアップ／ダウンさせて、リモコン付近の室温をユーザーの求める温度に到達させて室温表示がユーザー設定温度表示と同じになるようにする。
【発明の効果】
【０００８】
本発明によれば、リモコンに設けた温度センサの検知温度を室温としてリモコンに表示させ、ユーザーが設定する設定温度表示と差がある場合、リモコンのパワーアップ／ダウンＳＷを操作して空気調和機が認識して制御する制御目標温度をアップ／ダウンさせることにより、リモコン付近の室温をユーザーの求める温度に到達させて室温表示がユーザー
設定温度表示と同じになるようにすることができる。
【０００９】
またリモコンに室温表示有り／無しＳＷを設けることにより、無しの場合にはリモコンの室温表示を非表示にし、またパワーアップ／ダウンＳＷ入力を無効にするので、従来どおりリモコンに表示しているユーザー設定温度を制御目標にして空気調和機を運転させることができる。
【発明を実施するための最良の形態】
【００１０】
第１の発明は、空気調和機の運転状態を遠隔操作するたのリモコンに、室温を検知するための温度センサを設け、ユーザーが設定する設定温度を前記リモコンに表示するのに加え、前記温度センサで検知した温度を室温として前記リモコンに表示させ、前記リモコンにパワーアップ／ダウンＳＷを設け、エアコンが認識して制御する目標温度をアップ／ダウンさせて前記リモコン付近の室温がユーザーの求める温度に到達するように空気調和機の運転を操作可能としたことにより、リモコン付近の室温をユーザーの求める温度に到達させて室温表示がユーザー設定温度表示と同じになるようにすることができる。
【００１１】
また、第二の発明は、リモコンに室温表示有り／無しＳＷを設けることにより、無しの場合にはリモコンの室温表示を非表示にし、またパワーアップ／ダウンＳＷ入力を無効にするので、従来どおりリモコンに表示しているユーザー設定温度を制御目標にして空気調和機を運転させることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態におけるリモコンの構成を示すブロック図である。リモコンにリモコン付近の温度を検出するための温度センサ１と、温度センサで検出した温度を室温として表示するための室温表示部２と、ユーザーが設定する温度設定部３と、設定温度を表示する設定温度表示部４と、空気調和機が制御目標にするための温度を設定する制御目標温度設定部５と、空気調和機が制御目標にする制御目標温度を変更するためのパワーアップ／ダウンＳＷ６と、制御目標温度を空気調和機本体に送信する送信部７と、室温表示の有無およびパワーアップ／ダウンＳＷ入力の有効／無効を選択するための室温表示有り／無しＳＷ８を備えている。
【００１４】
図２は本発明の第１の実施の形態におけるリモコンに表示された室温と設定温度とを比較してその結果によってパワーアップ／ダウンＳＷを操作した時の処理を示すフローチャートである。室温表示が設定温度表示と同じであれば何もしない（Ｓ１）。室温表示が設定温度表示より小さいかどうか判断（Ｓ２）し、小さければパワーアップＳＷをＯＮする（Ｓ３）。室温表示が設定温度表示より大きいかどうか判断（Ｓ４）し、大きければパワーダウンＳＷをＯＮする（Ｓ５）。
【００１５】
これによりリモコンのパワーアップ／ダウンＳＷを操作して空気調和機の制御目標温度をアップ／ダウンさせることにより、リモコン付近の室温をユーザーの求める温度に到達させて室温表示が設定温度表示と同じになるようにすることができる。
【００１６】
図３は本発明の第１の実施の形態における室温表示有／無ＳＷ設定による室温表示とパワーアップ／ダウンＳＷの動作を示すフローチャートである。室温表示有／無ＳＷの設定を判断（Ｓ１１）し、有りならリモコンの室温表示を行い（Ｓ１２）パワーアップ／ダウンＳＷ入力を有効にする（Ｓ１３）。無しならリモコンの室温表示は行わず（Ｓ１４）パワーアップ／ダウンＳＷ入力を無効にする（Ｓ１５）。
【００１７】
これにより従来どおりリモコンに表示しているユーザー設定温度を制御目標にして空気調和機を運転させることができる。
【図面の簡単な説明】
【００１８】
【図１】本発明の実施の形態１におけるリモコンのブロック図
【図２】本発明の実施の形態１における室温表示と設定温度表示の比較によりパワーアップ／ダウンＳＷを操作した時の処理を示すフローチャート
【図３】本発明の実施の形態１における室温表示有無ＳＷ選択による処理を示すフローチャート
【図４】従来のリモコン処理を示すフローチャート
【符号の説明】
【００１９】
１  温度センサ
２  室温表示部
３  温度設定部
４  設定温度表示部
５  制御目標温度設定部
６  パワーアップ／ダウンＳＷ
７  送信部
８  室温表示有／無ＳＷ
【図１】
2007247983.tif 000003
【図２】
2007247983.tif 000004
【図３】
2007247983.tif 000005
【図４】
2007247983.tif 000006